(57)【特許請求の範囲】
【請求項１】
建物の開口部の縁に設けられる枠体の外側に前記枠体と隣接して設置される照明ユニットであって、
前記枠体の一辺に沿うように延びて設けられ、前記建物の壁面に取り付けられるベース部材と、
前記ベース部材に取り付けられる照明部材とを備え、
前記ベース部材は、前記枠体を構成する上枠の上面に載置された状態で前記建物の壁面に取り付けられる照明ユニット。
【請求項２】
建物の開口部の縁に設けられる枠体の外側に前記枠体と隣接して設置される照明ユニットであって、
前記枠体の一辺に沿うように延びて設けられ、前記建物の壁面に取り付けられるベース部材と、
前記ベース部材に取り付けられる照明部材とを備え、
前記ベース部材は、その延設方向に沿って形成された溜水溝を内部に備え、且つ、前記溜水溝よりも上方に設けられ、前記照明部材への配線に用いる端子台を配置する端子台台座を備える照明ユニット。
【請求項３】
前記ベース部材は、その延設方向の端部を閉塞する閉塞部を備え、
前記閉塞部には、前記溜水溝に連通する排水口が設けられている請求項２に記載の照明ユニット。
【請求項４】
建物の開口部の縁に設けられる枠体の外側に前記枠体と隣接して設置される照明ユニットであって、
前記枠体の一辺に沿うように延びて設けられ、前記建物の壁面に取り付けられるベース部材と、
前記ベース部材に取り付けられる照明部材とを備え、
前記ベース部材は、前記照明部材への配線に用いる端子台を配置する端子台台座を備え、且つ、前記端子台台座から前記ベース部材の長手方向へ離れた位置に、前記照明部材に接続される電気配線を通す配線通し穴が複数形成されている照明ユニット。
【請求項５】
前記ベース部材は、外形が概略扁平角柱状の上側中空角材部と外形が概略角柱状の下側中空角材部とが、上下に一定の間隔を保って背板部で連結されて構成され、
前記端子台台座は、前記背板部に直接配設されている請求項４に記載の照明ユニット。
【発明の詳細な説明】
【技術分野】
【０００１】
本発明は、照明ユニット及びこの照明ユニットを備えた開口部装置に関する。
【背景技術】
【０００２】
玄関のドア障子表面を広く照明することができ、人の出入りを遅延なく検知することを可能とする照明ユニットが提案されている（例えば、特許文献１参照）。
また、特許文献１におけるような照明ユニットを安定に取り付けるための技術も提案されている（例えば、特許文献２参照）。
【先行技術文献】
【特許文献】
【０００３】
【特許文献１】特開２０１４−１３４００５号公報
【特許文献２】特開２０１４−１３５１８１号公報
【発明の概要】
【発明が解決しようとする課題】
【０００４】
しかしながら、上記特許文献１及び特許文献２に開示された技術では、照明ユニットをドア上枠に直接取り付けるものであるため、サイズが適合する型式のドア枠でない限り取り付けることができず、この点で汎用性を欠いていた。
【０００５】
本発明は、上記の状況に鑑みてなされたものであり、種々の型式やサイズのドア枠に広く適用可能な照明ユニット及びこの照明ユニットを備えた開口部装置を提供することを目的とする。
【課題を解決するための手段】
【０００６】
上記技術課題を解決するべく、ここに、次のような技術を提案する。
【０００７】
本発明の照明ユニットは、建物（例えば、後述の建物１）の開口部（例えば、後述の開口部１０）の縁に設けられる枠体（例えば、後述のドア枠体１１０のドア上枠１１１）の外側に前記枠体と隣接して設置される照明ユニット（例えば、後述の照明ユニット２０）であって、前記枠体の一辺に沿うように延びて設けられ、前記建物の壁面（例えば、後述の壁面１１）に取り付けられるベース部材（例えば、後述のベース部材２１）と、前記ベース部材に対して取り付けられる照明部材（例えば、後述の照明部材２２）と、を備える。
【０００８】
また、前記ベース部材は、前記枠体を構成する上枠（例えば、後述のドア上枠１１１）の上面に載置された状態で前記建物の壁面に取り付けられることが好ましい。
【０００９】
また、前記ベース部材は、延設方向に沿って形成された溜水溝（例えば、後述の溜水溝２１５）を内部に備えていることが好ましい。
【００１０】
また、前記ベース部材は、その延設方向の端部を閉塞する閉塞部（例えば、後述のベース部材用エンドキャップ２１Ｌ、２１Ｒ）を備え、前記閉塞部には、前記溜水溝に連通する排水口（例えば、後述の排水口２４Ｌ、２４Ｒ）が設けられていることが好ましい。
【００１１】
また、前記ベース部材は、前記溜水溝よりも上方に設けられ、前記照明部材への配線に用いる端子台（例えば、後述の端子台３０３）を配置する端子台台座（例えば、後述の端子台台座３０２）を備えていることが好ましい。
【００１２】
また、前記ベース部材には、前記照明部材に接続される電気配線を通す配線通し穴（例えば、後述の第１の配線通し穴２１４ａ及び第２の配線通し穴２１４ｂ）が複数形成されていることが好ましい。
【００１３】
また、本発明の開口部装置（例えば、後述の開口部装置１００）は、建物（例えば、後述の建物１）の開口部（例えば、後述の開口部１０）に上述のような照明ユニット（例えば、後述の照明ユニット２０）を備える。
【発明の効果】
【００１４】
本発明によれば、種々の型式やサイズのドア枠に広く適用可能な照明ユニット及びこの照明ユニットを備えた開口部装置を具現できる。
【図面の簡単な説明】
【００１５】
【図１】本発明の一実施形態としての開口部装置を示す図である。
【図２】本発明の一実施形態としての照明ユニットを示す部分側断面図である。
【図３】図２の照明ユニットを示す平面図である。
【図４】図２の照明ユニットのベース部材を示す正面図である。
【図５】図２の照明ユニットの一つの要部を示す図である。
【図６】図２の照明ユニットの他の要部を示す図である。
【発明を実施するための形態】
【００１６】
以下、図面を参照して本発明の実施形態について詳述することにより本発明を明らかにする。
【００１７】
図１は、本発明の一実施形態としての開口部装置１００を示す図である。尚、以下の説明において左右とは、開口部装置１００に向かって屋外側から屋内側を見たときの左右を意味する。
開口部装置１００は、建物１の正面視にて矩形状の開口部１０の縁に設けられるドア枠体１１０上に、照明ユニット２０を備える。ドア枠体１１０には、これに対応する障子３０が設けられている。
ドア枠体１１０は、ドア上枠１１１（破線図示）、ドア下枠１１２、戸先側のドア縦枠１１３、及び、吊元側のドア縦枠１１４を有する。
障子３０は、吊元側のドア縦枠１１４に３個の丁番１２１、１２２、１２３によって開閉自在に取り付けられている。また、障子３０の戸先側の屋外側には、屋外側ハンドル１３１が設けられている。
【００１８】
本発明の一実施形態としての照明ユニット２０は、ベース部材２１と照明部材２２とを含んで構成され、ドア枠体１１０の一辺をなすドア上枠１１１に沿って延びるようにして、建物１の壁面１１に取り付けられている。
より詳細には、ベース部材２１が、ドア上枠１１１の上面に載置された状態で建物１の壁面１１に取り付けられ、このベース部材２１に対して照明部材２２が取り付けられることによって照明ユニット２０が取り付けられている。
【００１９】
ベース部材２１の両端は、ベース部材用エンドキャップ２１Ｌ、２１Ｒが嵌装されて閉塞されている。
同様に、照明部材２２の両端は、照明部材用エンドキャップ２２Ｌ、２２Ｒが嵌装されて閉塞されている。
【００２０】
後に詳述するように、照明ユニット２０のベース部材２１は、その長手方向の寸法がドア上枠１１１と略同程度か若干長めの、例えば、金属（アルミニウム乃至アルミニウム合金）製の中空角柱状部材である。これに対応する照明部材２２は、長手方向の寸法がベース部材２１と同寸である。照明部材２２は、その内部に長手方向に延長して、例えば、ＬＥＤ等の光源が設けられている。また照明部材２２には、人感センサー及び照度センサーが設けられている。
【００２１】
次に、図２及び図３を併せ参照して、照明ユニット２０について更に詳述する。
図２は、本発明の一実施形態としての照明ユニット、即ち、図１の照明ユニット２０を示す部分側断面図である。
図３は、図２の照明ユニットの平面図である。
図１を参照して既述のように、照明ユニット２０は建物１の壁面１１に取り付けられている。この取り付けは、先ず、照明ユニット２０のベース部材２１が、壁面１１に取り付けられ、このように取り付けられたベース部材２１に照明部材２２が取り付けられるようにして行われる。
ベース部材２１の取り付けは、ドア上枠１１１の上面に載置された状態で、このドア上枠１１１の長手方向に沿う姿勢で、壁面１１をなすサイディング１１ａを貫通して内部の胴縁である横材１５１に達する固定部材１４１によって固定されるようにして行われる。
【００２２】
図２は、図１を参照して既述の照明部材用エンドキャップ２２Ｒについては装着されたままの状態で、ベース部材用エンドキャップ２１Ｒについては撤去された状態で描かれている。
図２を参照して明らかなように、ベース部材２１は、外形が概略扁平角柱状の上側中空角材部２１１と外形が概略角柱状の下側中空角材部２１２とが、上下に一定の間隔を保って背板部２１３で連結され、この背板部２１３に対向する前面側が開放されている。
上側中空角材部２１１の底板部２１１ａは、上側中空角材部２１１の前板部２１１ｂよりも前方に若干延長されてその延長端に起立部２１１ｃが形成されている。このため、上側中空角材部２１１の前板部２１１ｂと起立部２１１ｃとの間に溝状の構造が構成される。この溝状の構造が、照明部材２２の該当部を係止する係止溝２１４である。
【００２３】
下側中空角材部２１２の底板部２１２ａは、中空角柱状のドア上枠１１１の上板部１１１ａ上面に接触している。中空角柱状のドア上枠１１１の上板部１１１ａが前方に向かって下降する傾斜を有するため、略水平である下側中空角材部２１２の底板部２１２ａの上記接触は部分的であり前側に若干の隙間を生じている。
下側中空角材部２１２の底板部２１２ａから立ち上がる前板部２１２ｂは、下側中空角材部２１２の上板部２１２ｄよりも上方に一定の高さｈ突出して前方に屈曲して略水平となる水平板部２１２ｅへと連なっている。
この結果、下側中空角材部２１２の上板部２１２ｄの上面側に、前板部２１２ｂが上記高さｈ突出した部分と、既述の背板部２１３とで囲まれた溝部が構成される。この溝部がベース部材２１の内部に備えられた後述する溜水溝２１５である。
【００２４】
ベース部材２１の背板部２１３には、端子台台座３０２が設けられ、この端子台台座３０２に端子台３０３が配置されている。端子台３０３は電気配線用のコード３０１を接続する。
また、ベース部材２１を、既述のように、壁面１１をなすサイディング１１ａを貫通して内部の横材１５１に達する固定部材１４１によって取り付けるに際しては、ベース部材２１におけるこの背板部２１３に固定部材１４１を通すようにしてこの取り付けが行われる。
また、図３を参照して容易に理解される通り、固定部材１４１はベース部材２１の長手方向に沿って所定間隔で複数本用いられる。
【００２５】
電気配線用のコード３０１は、端子台３０３に差し込まれ、ベース部材２１の背板部２１３に設けられた配線通し穴（後述）とこの孔に対応するサイディング１１ａの孔を通して屋内に引き込まれる。そして、この電気配線用のコード３０１は、柱２、２や横材１５１、１５２の間で内壁３よりも屋外側に配された断熱材４を貫通して、図示しない屋内配電盤に接続される。
【００２６】
一方、照明ユニット２０の照明部材２２には、既述のように、その内部に長手方向に延長して、例えば、ＬＥＤ等の光源２２１が設けられている。この光源２２１に対応して、光源２２１を保護し、光源からの光を障子３０の前面等の外部に投射するための透光板２２２が設けられている。また照明部材２２には、人感センサー及び照度センサーが一体となったセンサーモジュール２２３が設けられている。このセンサーモジュール２２３には、検出領域を拡大したり絞り込んだりする調節を行うためのエリアマスク２２４が付帯している。
【００２７】
照明部材２２の上板部２２５が後方に突出延長した部分の端部が略垂直下方に折り曲げられることで、係止片２２５ａが形成されている。この係止片２２５ａがベース部材２１側の既述の係止溝２１４に嵌入係止されることによって、照明部材２２の上辺側がベース部材２１に係止される。
他方、照明部材２２の下辺側は、照明部材２２後端中位位置よりも下から後方に突設された被固定片２２６が、その下面側から既述の水平板部２１２ｅをその上面側へと貫く固定部材１４２によって固定されている。照明部材２２の底板部２２７が後方に延長された部位には、本例ではビスである固定部材１４２を通すための孔が設けられ、この孔は固定部材１４２による固定作業完了後にカバー材１４２ａによって閉塞される。
【００２８】
本例におけるドア上枠１１１は、既述のように中空角柱状をなし、その上板部１１１ａ上面にベース部材２１の下側中空角材部２１２が部分的に接触している。
このドア上枠１１１は、更に、前板部１１１ｂ、後板部１１１ｃ、及び、下板部１１１ｄを含んで、概略中空角柱状をなしている。下板部１１１ｄは、後板部１１１ｃよりも後方に水平に延長されて被固定片１１１ｅが形成されている。ドア上枠１１１は、この被固定片１１１ｅの部位で、下方から上方に向けて横材１５２に達する固定部材１４３によって固定される。
また、ドア上枠１１１の後板部１１１ｃが上板部１１１ａよりも上方に垂直に延長されることで、被固定片１１１ｆが形成されている。ドア上枠１１１は、この被固定片１１１ｆの部位でも、前方から後方に向けて若干降下する傾斜をもって横材１５２に達する固定部材１４４によって固定される。
【００２９】
既述の被固定片１１１ｅにおける、固定部材１４３による被固定部位よりも基部寄りの部位から下方に突出するようにバックアップ材支持部１１１ｇが形成され、このバックアップ材支持部１１１ｇにバックアップ材３０ａが係合固定されている。
ドア上枠１１１の上板部１１１ａにベース部材２１の下側中空角材部２１２が部分的に接触する部位の後方でサイディング１１ａの下端が上方から迫る隙間にはシール材４０１が充填され、バックアップ材４０２で閉塞されている。本実施形態では、このシール材４０１は照明ユニット２０により覆われるため、意匠性が向上している。
【００３０】
次に、図４、図５及び図６を参照して、照明ユニット２０のベース部材２１について更に詳述する。
図４は、図２の照明ユニット２０のベース部材２１を示す正面図である。
図５は、ベース部材２１の要部である溜水溝２１５を示す斜視図である。
図６は、ベース部材２１の端部に嵌装されたベース部材用エンドキャップ２１Ｌを示す斜視図である。
図４、図５及び図６において、既述の図１及び図２との対応部は同一の符号を附して示されている。
【００３１】
図４の視点では、ベース部材２１の上側中空角材部２１１については、その前板部２１１ｂと起立部２１１ｃが正面視される。また、下側中空角材部２１２については、その前板部２１２ｂと水平板部２１２ｅの厚み部分が正面視される。この視点からは、起立部２１１ｃと水平板部２１２ｅとの間に上側中空角材部２１１と下側中空角材部２１２とを結ぶ背板部２１３が部分的に正面視される。
背板部２１３には、配線コードを挿通するための第１の配線通し穴２１４ａ及び第２の配線通し穴２１４ｂが設けられている。第１の配線通し穴２１４ａ及び第２の配線通し穴２１４ｂは、建物１の躯体構造上、指定位置へ配線出しができないといった事態に対処するために、予め２箇所の配線通し穴を設けて、何れかを選択的に用い得るようにしたものである。使用されない配線通し穴は、適宜、コーキング等によって閉塞される。
たとえば、一定間隔で壁面１１の屋内側に配置される縦材（不図示）と第１の配線通し穴２１４ａが重なった場合には、縦材と重ならない第２の配線通し穴２１４ｂを選択して配線コードを挿通する。縦材どうしの間隔は一般的に４００〜５００ｍｍ程度であるため、それよりも短い間隔で複数の配線通し穴を設けると良い。本例では、約２００ｍｍの間隔で第１の配線通し穴２１４ａ及び第２の配線通し穴２１４ｂが設けられている。
【００３２】
また、背板部２１３には、端子台台座３０２が設けられ、端子台台座３０２に重ねて端子台３０３が配置されている。このため、図４の正面視では、端子台台座３０２は端子台３０３の背後にある。
図４の状態では、既述の第１の配線通し穴２１４ａ又は第２の配線通し穴２１４ｂを通して端子台３０３につなぎ込まれる電源側からのコードは配線されていない。
端子台３０３から、照明部材２２に給電するためのコード５０１が右方に水平に導出され、中間の適所で配線クリップ５０２で背板部２１３にクリップされ、端子台３０３とは反対側の自由端に照明部材２２と接続するための端子台５０３が設けられている。この端子台５０３に照明部材２２側の配線コード端部のコネクタプラグ（不図示）が接続されて、照明部材２２に給電が行われる。
屋内の電源側からのコードを端子台３０３に差し込んで接続する作業は電気工事であるが、照明部材２２側の配線コード端部のコネクタプラグを端子台５０３に差し込んで接続する作業は、電気工事に該当する程ではない簡易な接続作業である。
【００３３】
図５に示されたように、ベース部材２１の端部（図５では右端部）において、上側中空角材部２１１と下側中空角材部２１２とを結ぶ背板部２１３の右端部近傍に、係止孔２１６Ｒが形成されている。
ベース部材２１の左端部についても、図５に示された右端部と対称形の構成が採られており、背板部２１３の左端部近傍に、係止孔２１６Ｌが形成されている。
下側中空角材部２１２の前板部２１２ｂの上方への高さｈの延長部と対向する背板部２１３の対応部とによって形成される溜水溝２１５は、ベース部材２１の長手方向に、その全長に亘って設けられている。即ち、溜水溝２１５は、その全長に亘って、その深さがｈである。
【００３４】
図５に示されたようなベース部材２１の延設方向の端部に、図６のようなベース部材用エンドキャップ２１Ｌが嵌装される。尚、図５はベース部材２１の右端であるが、図示の便宜上、図６では、当該右端と対称形の左端について示してある。
ベース部材用エンドキャップ２１Ｌは、ベース部材２１の端部形状と相似の外周形状をなし、樹脂等の弾性を有する材料で構成されている。ベース部材用エンドキャップ２１Ｌは、ベース部材２１の延設方向の左端部を閉塞する如く嵌装され、ベース部材２１の背板部２１３の係止孔２１６Ｌに対応する係止片２３Ｌが形成されている。
係止片２３Ｌは、ベース部材２１の左端部に嵌装された状態で係止孔２１６Ｌから外方に開く弾発力を常時作用させて、当該嵌装状態におけるガタなどを防ぎ、ベース部材用エンドキャップ２１Ｌを強固に係止固定する。
【００３５】
図６より明らかな通り、ベース部材用エンドキャップ２１Ｌには、ベース部材２１内側の溜水溝２１５に連通する切欠き部が形成され、この切欠き部が溜水溝２１５に溜まった水を排水するための排水口２４Ｌを構成している。右端側のベース部材用エンドキャップ２１Ｒについても、同様の排水口２４Ｒが設けられている。
ベース部材２１には、上述したような溜水溝２１５と排水口２４Ｌ、２４Ｒが設けられているため、ベース部材２１に雨水等が浸入しても、そのままドア上枠１１１の中間位置から滴下することが防がれる。即ち、浸入した雨水等は、溜水溝２１５に少量は溜まりながら導かれて、ベース部材２１両端の排水口２４Ｌ、２４Ｒから戸先側のドア縦枠１１３、及び、吊元側のドア縦枠１１４を伝うようにして排水される。このため、開口部１０（図１）直下を通過する人にベース部材２１側から雨水が滴下するおそれが有効に回避される。
また、適度に排水されるため、溜水溝２１５に溜まる水の水位が異常に高まって不用意な場所から溢れ出すおそれが回避される。
【００３６】
ここで、図２及び図４を参照して、端子台台座３０２、端子台３０３が配置されている位置に着目すると、当該位置は、ベース部材２１に上述の如く形成された深さｈの溜水溝２１５が満水になったときの水位よりも上方に位置している。
従って、本実施形態の照明ユニット２０では、そのベース部材２１に水が浸入しても、電気配線の接続部（端子台３０３の導体部）が冠水するおそれが有効に回避される。
【００３７】
以上に説明した本発明の実施形態では、次のような作用効果を奏する。
本実施形態の照明ユニット２０では、建物１の開口部１０の縁に設けられる枠体としてのドア枠体１１０のドア上枠１１１の外側にドア上枠１１１と隣接して設置される照明ユニット２０であって、ドア上枠１１１に沿うように延びて設けられ、建物１の壁面１１に取り付けられるベース部材２１と、ベース部材２１に対して取り付けられる照明部材２２と、を備える。
このため、種々の型式やサイズのドア枠に広く適用可能な照明ユニットを具現できる。
また、ドア枠（ドア上枠１１１）が照明ユニット２０によって覆われてしまうことがないため、意匠性が損なわれない。
また、ドア枠体１１０（そのドア上枠１１１）に配線用の孔をあける必要がないため、現場での施工性が良好であり、更に、ドア枠体１１０の個所で防火性が損なわれるようなことが本質的に生じない。
【００３８】
また、ベース部材２１は、枠体（ドア枠体１１０）を構成する上枠（ドア上枠１１１）の上面に載置された状態で建物１の壁面１１に取り付けられる。
このため、ベース部材２１を介して照明ユニット２０の取り付けが安定する。
【００３９】
また、本実施形態の照明ユニット２０では、ベース部材２１は、延設方向に沿って形成された溜水溝２１５を内部に備えている。
このため、ベース部材２１内に雨水等が浸入しても、溜水溝２１５に少量は溜まりながら導かれて、直ちに滴下することがなく、開口部１０（図１）直下を通過する人にベース部材２１側から雨水が滴下するおそれが回避される。
【００４０】
また、ベース部材２１は、その延設方向の端部を閉塞する閉塞部としてのベース部材用エンドキャップ２１Ｌ、２１Ｒを備え、ベース部材用エンドキャップ２１Ｌ、２１Ｒには、溜水溝２１５に連通する排水口２４Ｌ、２４Ｒが設けられている。
このため、ベース部材２１に雨水等が浸入しても、そのままドア上枠１１１の中間位置から滴下することが防がれる。即ち、浸入した雨水等は、溜水溝２１５に少量は溜まりながら導かれて、ベース部材２１両端の排水口２４Ｌ、２４Ｒから排水される。このため、開口部１０（図１）直下を通過する人にベース部材２１側から雨水が滴下するおそれが有効に回避される。
また、適度に排水されるため、溜水溝２１５に溜まる水の水位が異常に高まって不用意な場所から溢れ出すおそれが回避される。
【００４１】
また、ベース部材２１は、溜水溝２１５よりも上方に、照明部材２２への配線に用いる端子台としての端子台３０３を配置する端子台台座３０２を備えている。
このため、ベース部材２１に水が浸入しても、電気配線の接続部（端子台３０３の導体部）が冠水するおそれが回避される。
【００４２】
また、ベース部材２１には、照明部材２２に接続される電気配線を通す配線通し穴である第１の配線通し穴２１４ａ及び第２の配線通し穴２１４ｂが形成されている。
このため、建物１の躯体構造上、指定位置へ配線出しができない場合にも、何れかの配線通し穴を選択的に用いることによりこのような場合に対処し得る。
【００４３】
また、本実施形態の開口部装置１００は、建物１の開口部１０に上述のような照明ユニット２０を備えている。
このため、種々の型式やサイズのドア枠に広く照明ユニットを適用可能な開口部装置を具現できる。
また、ドア枠（ドア上枠１１１）が照明ユニット２０によって覆われてしまうことがないため、意匠性が損なわれない。
【００４４】
尚、本発明は上記実施形態に限定されるものではなく、本発明の目的を達成できる範囲での変形変更等は本発明に含まれる。
上記実施形態では、照明部材の光源としてＬＥＤを用いたがこれに限定されず、また、障子としてドアを適用したがこれに限定されない。
【符号の説明】
【００４５】
１…建物
１０…開口部
１１…壁面
２０…照明ユニット
２１…ベース部材
２１Ｌ、２１Ｒ…ベース部材用エンドキャップ
２２…照明部材
１００…開口部装置
１１０…ドア枠体
１１１…ドア上枠
２１４ａ…第１の配線通し穴
２１４ｂ…第２の配線通し穴
２１５…溜水溝
３０２…端子台台座
３０３…端子台
【図１】
0006401604.tif 000002
【図２】
0006401604.tif 000003
【図３】
0006401604.tif 000004
【図４】
0006401604.tif 000005
【図５】
0006401604.tif 000006
【図６】
0006401604.tif 000007